【手続補正書】
【提出日】平成19年10月3日(2007.10.3)
【手続補正１】
【補正対象書類名】明細書
【補正対象項目名】発明の名称
【補正方法】変更
【補正の内容】
【発明の名称】サーバ装置、その制御方法、及びそのプログラム
【手続補正２】
【補正対象書類名】明細書
【補正対象項目名】特許請求の範囲
【補正方法】変更
【補正の内容】
【特許請求の範囲】
【請求項１】  オーナユーザ装置および閲覧ユーザ装置のそれぞれとネットワークを介して接続されたサーバ装置であって、
複数の画像をアルバムとしてレイアウトして印刷するための設定を示すアルバム印刷情報および前記アルバム印刷情報の利用を前記閲覧ユーザ装置に対して許可するかどうかを示す許可フラグを、前記オーナユーザ装置から受信する受信手段と、
前記複数の画像および前記アルバム印刷情報を、前記許可フラグと対応づけて記憶する記憶手段と、
前記複数の画像を前記閲覧ユーザ装置に表示させるための閲覧画面を作成する作成手段であって、前記記憶手段に記憶された許可フラグが前記閲覧ユーザ装置による前記アルバム印刷情報の利用を許可している場合には、前記閲覧画面に印刷注文のボタンを追加し、前記記憶手段に記憶された許可フラグが前記閲覧ユーザ装置による前記アルバム印刷情報の利用を許可していない場合には、前記閲覧画面に印刷注文のボタンを追加しないように、選択して前記閲覧画面を作成する作成手段と、
前記閲覧ユーザ装置において前記閲覧画面に表示された印刷注文のボタンへの操作があった場合、前記複数の画像を前記アルバム印刷情報に示されるレイアウトで印刷するようプリント処理装置へ通知する通知手段とを備えることを特徴とするサーバ装置。
【請求項２】  前記閲覧ユーザ装置において前記閲覧画面に表示された印刷注文のボタンへの操作があった場合、前記複数の画像を前記アルバム印刷情報に示されるレイアウトで表示するための印刷確認画面を前記閲覧ユーザ装置に送信する送信手段をさらに備えることを特徴とする請求項１に記載のサーバ装置。
【請求項３】  前記受信手段は、さらに前記アルバム印刷情報の各項目に対する編集を許可するか否かの設定を受信し、
前記編集を許可すると設定されている項目に編集のボタンを追加し、前記編集を許可しないと設定されている項目に編集のボタンを追加しないように、前記印刷確認画面を生成する生成手段をさらに備えることを特徴とする請求項２に記載のサーバ装置。
【請求項４】  オーナユーザ装置および閲覧ユーザ装置のそれぞれとネットワークを介して接続されたサーバ装置の制御方法であって、
複数の画像をアルバムとしてレイアウトして印刷するための設定を示すアルバム印刷情報および前記アルバム印刷情報の利用を前記閲覧ユーザ装置に対して許可するかどうかを示す許可フラグを、前記オーナユーザ装置から受信するステップと、
前記複数の画像および前記アルバム印刷情報を、前記許可フラグと対応づけて記憶するステップと、
前記記憶手段に記憶された許可フラグが前記閲覧ユーザ装置による前記アルバム印刷情報の利用を許可している場合には、前記複数の画像を前記閲覧ユーザ装置に表示させるための閲覧画面を、印刷注文のボタンを追加して作成するステップと、
前記記憶手段に記憶された許可フラグが前記閲覧ユーザ装置による前記アルバム印刷情報の利用を許可していない場合には、複数の画像を前記閲覧ユーザ装置に表示させるための閲覧画面を、前記印刷注文のボタンを追加しないで作成するステップと、
前記閲覧ユーザ装置において前記閲覧画面に表示された印刷注文のボタンへの操作があった場合、前記複数の画像を前記アルバム印刷情報に示されるレイアウトで印刷するようプリント処理装置へ通知するステップとを備えることを特徴とする制御方法。
【請求項５】  オーナユーザ装置および閲覧ユーザ装置のそれぞれとネットワークを介して接続されたサーバ装置の制御方法をコンピュータに実現させるためのプログラムであって、
複数の画像をアルバムとしてレイアウトして印刷するための設定を示すアルバム印刷情報および前記アルバム印刷情報の利用を前記閲覧ユーザ装置に対して許可するかどうかを示す許可フラグを、前記オーナユーザ装置から受信するステップと、
前記複数の画像および前記アルバム印刷情報を、前記許可フラグと対応づけて記憶するステップと、
前記記憶手段に記憶された許可フラグが前記閲覧ユーザ装置による前記アルバム印刷情報の利用を許可している場合には、前記複数の画像を前記閲覧ユーザ装置に表示させるための閲覧画面を、印刷注文のボタンを追加して作成するステップと、
前記記憶手段に記憶された許可フラグが前記閲覧ユーザ装置による前記アルバム印刷情報の利用を許可していない場合には、前記複数の画像を前記閲覧ユーザ装置に表示させるための閲覧画面を、前記印刷注文のボタンを追加しないで作成するステップと、
前記閲覧ユーザ装置において前記閲覧画面に表示された印刷注文のボタンへの操作があった場合、前記複数の画像を前記アルバム印刷情報に示されるレイアウトで印刷するようプリント処理装置へ通知するステップとをコンピュータに実行させるためのプログラム。
【手続補正３】
【補正対象書類名】明細書
【補正対象項目名】０００９
【補正方法】変更
【補正の内容】
【０００９】
本発明は、上記従来技術の問題点を解決するために提案されたものであり、その目的とするところは、利用者が設定したサービスに関わる設定情報を、第三者がサービスを受けるときにも利用できるようにすることにより、利用者の所望の設定情報を第三者に提供することができるサーバ装置、その制御方法、及びそのプログラムを提供することにある。
【手続補正４】
【補正対象書類名】明細書
【補正対象項目名】００１１
【補正方法】変更
【補正の内容】
【００１１】
【課題を解決するための手段】
上記目的を達成するため、本発明のサーバ装置は、オーナユーザ装置および閲覧ユーザ装置のそれぞれとネットワークを介して接続されたサーバ装置であって、複数の画像をアルバムとしてレイアウトして印刷するための設定を示すアルバム印刷情報および前記アルバム印刷情報の利用を前記閲覧ユーザ装置に対して許可するかどうかを示す許可フラグを、前記オーナユーザ装置から受信する受信手段と、前記複数の画像および前記アルバム印刷情報を、前記許可フラグと対応づけて記憶する記憶手段と、前記複数の画像を前記閲覧ユーザ装置に表示させるための閲覧画面を作成する作成手段であって、前記記憶手段に記憶された許可フラグが前記閲覧ユーザ装置による前記アルバム印刷情報の利用を許可している場合には、前記閲覧画面に印刷注文のボタンを追加し、前記記憶手段に記憶された許可フラグが前記閲覧ユーザ装置による前記アルバム印刷情報の利用を許可していない場合には、前記閲覧画面に印刷注文のボタンを追加しないように、選択して前記閲覧画面を作成する作成手段と、前記閲覧ユーザ装置において前記閲覧画面に表示された印刷注文のボタンへの操作があった場合、前記複数の画像を前記アルバム印刷情報に示されるレイアウトで印刷するようプリント処理装置へ通知する通知手段とを備えることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
又、本発明のサーバ装置の制御方法は、オーナユーザ装置および閲覧ユーザ装置のそれぞれとネットワークを介して接続されたサーバ装置の制御方法であって、複数の画像をアルバムとしてレイアウトして印刷するための設定を示すアルバム印刷情報および前記アルバム印刷情報の利用を前記閲覧ユーザ装置に対して許可するかどうかを示す許可フラグを、前記オーナユーザ装置から受信するステップと、前記複数の画像および前記アルバム印刷情報を、前記許可フラグと対応づけて記憶するステップと、前記記憶手段に記憶された許可フラグが前記閲覧ユーザ装置による前記アルバム印刷情報の利用を許可している場合には、前記複数の画像を前記閲覧ユーザ装置に表示させるための閲覧画面を、印刷注文のボタンを追加して作成するステップと、前記記憶手段に記憶された許可フラグが前記閲覧ユーザ装置による前記アルバム印刷情報の利用を許可していない場合には、複数の画像を前記閲覧ユーザ装置に表示させるための閲覧画面を、前記印刷注文のボタンを追加しないで作成するステップと、前記閲覧ユーザ装置において前記閲覧画面に表示された印刷注文のボタンへの操作があった場合、前記複数の画像を前記アルバム印刷情報に示されるレイアウトで印刷するようプリント処理装置へ通知するステップとを備えることを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
又、本発明のプログラムは、オーナユーザ装置および閲覧ユーザ装置のそれぞれとネットワークを介して接続されたサーバ装置の制御方法をコンピュータに実現させるためのプログラムであって、複数の画像をアルバムとしてレイアウトして印刷するための設定を示すアルバム印刷情報および前記アルバム印刷情報の利用を前記閲覧ユーザ装置に対して許可するかどうかを示す許可フラグを、前記オーナユーザ装置から受信するステップと、前記複数の画像および前記アルバム印刷情報を、前記許可フラグと対応づけて記憶するステップと、前記記憶手段に記憶された許可フラグが前記閲覧ユーザ装置による前記アルバム印刷情報の利用を許可している場合には、前記複数の画像を前記閲覧ユーザ装置に表示させるための閲覧画面を、印刷注文のボタンを追加して作成するステップと、前記記憶手段に記憶された許可フラグが前記閲覧ユーザ装置による前記アルバム印刷情報の利用を許可していない場合には、前記複数の画像を前記閲覧ユーザ装置に表示させるための閲覧画面を、前記印刷注文のボタンを追加しないで作成するステップと、前記閲覧ユーザ装置において前記閲覧画面に表示された印刷注文のボタンへの操作があった場合、前記複数の画像を前記アルバム印刷情報に示されるレイアウトで印刷するようプリント処理装置へ通知するステップとをコンピュータに実行させる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】